(57)【要約】      （修正有）【課題】気性、防水効果を持つ弾力鰓裂式の靴底の提供。【解決手段】換気靴底１には若干の貫通する通気穴２があり、そして、換気靴底の外側に通気穴に対応するいずれの箇所にはラチェット状の弾力鰓裂３が設けられている。このラチェット状の弾力鰓裂は地面と接触する時に受けた圧力で通気穴を閉じさせ、地面を離れた時に弾力の回復作用で通気穴を開放させる。このように持続的に通気穴を閉じさせたり、開放させたりする交代作用でポンプ効果を生じ、靴内部の湿気と外の新鮮空気と入れ替えることにより内部の乾燥を保つことができる。その中に、いずれのラチェット状の弾力鰓裂の内側は通気穴位置に向け、圧力を受けた後に通気穴と密着できる斜面のようになっている。これで、ラチェット状の弾力鰓裂の構造強度を高めたほかに、地面との接触面積も減少させたので、損耗を抑え、使用寿命を延長することができる。【選択図】図４
0003134319.tif 000002
【実用新案登録請求の範囲】
【請求項１】
靴底全体の適当部位に換気エリアが設けられ、且つ換気靴底を収める埋込み部が設置され、埋込み部にはいくつかのはめ込み口があり、換気靴底にはそれに対応する突出部が設けられ、それらのはめ込み口にはめ込んで固定し、突出部はいずれも若干の貫通する通気穴があり、通気穴の外側にもラチェット状の弾力鰓裂が設けられていることを特徴とする通気性、防水効果を持つ弾力鰓裂式の靴底。
【請求項２】
当該ラチェット状の弾力鰓裂はいずれも内側を通気穴の位置に向けるように設計され、圧力を受けた後に通気穴と密着できる斜面になり、ラチェット状外側の方は直断面になっていることを特徴とする請求項１記載の通気性、防水効果を持つ弾力鰓裂式の靴底。
【考案の詳細な説明】
【技術分野】
【０００１】
本考案は一種の靴底に関するものであり、特に通気性、防水性のある靴底のラチェット状の弾力鰓裂構造を改良し、損耗を抑えて使用寿命を延長できるものを指している。
【背景技術】
【０００２】
靴内部の乾燥を保ち、靴内部の温度を下げることを目的としている設計は靴製造業において長年の歴史を持っている。例えば特許文献１、特許文献２、特許文献３は皆通気靴に関してよく知られている既存の設計である。違う設計で靴底の通気性という目的を実現することはできるが、前述にある従来の設計の多くは、付加された気嚢で空気の入れ替える動力源としている。このような設計では、構造が複雑になるだけでなく、量産にも難所が出てしまうところに、靴全体の履き心地も理想的なものではない。
【０００３】
本考案の出願人はエアロシューズの専門メーカであり、前述にある慣用製品における既存の欠点をよく知っているため、靴内部の湿気を抑えて乾燥を保つよう、極めて簡単な構造で効果が発揮できる通気性、防水性を持つ靴底の構造の開発に力をかけた。第１図〜第３図では、当設計は歩行中に靴底全体４が地面と直接に接触するエリアA、B、C、Dを換気エリアとしている。いずれの換気エリアの換気靴底１には貫通した若干の通気穴２が列に設けられ、いずれの通気穴２の外側にはラチェット状の弾力鰓裂３がある。通気穴２の内側と靴底全体４との間に通気性、防水性のある薄膜（図は省略）があるため、換気靴底１が歩行中に地面と接触した時に、ラチェット状の弾力鰓裂３が圧力を受けて通気穴２を閉じさせ、換気靴底が地面を離れた時に、圧力を受けていたラチェット状の弾力鰓裂３は弾力作用で回復し、通気穴２を開放させる。各ラチェット状の弾力鰓裂３が通気穴２を持続的に閉じさせたり、開放させたりする相互作用でポンプ効果を生じることにより、靴内部の湿気と外の新鮮空気と入れ替えて内部の乾燥を保つことができる。
【０００４】
図１〜図３の設計に従って実際に完成した換気靴底は確かに、極めて簡単の構造で通気、防水などの優れる効果を達成できました。しかも量産の際に、構造の複雑さで完成できない課題が現れなかった。但し、ラチェット状の弾力鰓裂は傾斜する薄片の設計がとられているため、歩行中にラチェット状外側が地面と接触する面積がかなり大きくになるので、ラチェット状の弾力鰓裂の損耗が速くなり、使用寿命が縮まれてしまうことになる。
【０００５】
【特許文献１】台湾特許第Ｍ２４２０３３号明細書
【特許文献２】台湾特許第Ｍ２４０８５１号明細書
【特許文献３】台湾特許第８７２００５６３号明細書
【考案の開示】
【考案が解決しようとする課題】
【０００６】
本考案の考案者は更に、以前に開発された通気性、防水性のある靴底を改良した。特にラチェット状の弾力鰓裂の構造改良を主に行うことにより、ラチェット状の弾力鰓裂の損耗を抑え、使用寿命の延長を図った。
【０００７】
前述の目的を実現するために、いずれのラチェット状の弾力鰓裂の内側を通気穴の位置に向けさせ、圧力を受けた後に通気穴と密着できるような斜面に設計した。そして、ラチェット状の弾力鰓裂の外側を、地面と垂直になる直断面に設計し、ラチェット状の弾力鰓裂の構造強度を上げ、且つラチェット状の弾力鰓裂が地面と接触する面積を減らすことにより、損耗を抑えて使用寿命の延長を図る。
【課題を解決するための手段】
【０００８】
請求項１の考案は、靴底全体の適当部位に換気エリアが設けられ、且つ換気靴底を収める埋込み部が設置され、埋込み部にはいくつかのはめ込み口があり、換気靴底にはそれに対応する突出部が設けられ、それらのはめ込み口にはめ込んで固定し、突出部はいずれも若干の貫通する通気穴があり、通気穴の外側にもラチェット状の弾力鰓裂が設けられていることを特徴とする通気性、防水効果を持つ弾力鰓裂式の靴底としている。
請求項２の考案は、当該ラチェット状の弾力鰓裂はいずれも内側を通気穴の位置に向けるように設計され、圧力を受けた後に通気穴と密着できる斜面になり、ラチェット状外側の方は直断面になっていることを特徴とする請求項１記載の通気性、防水効果を持つ弾力鰓裂式の靴底としている。
【考案の効果】
【０００９】
本考案は通気性、防水効果を持つ弾力鰓裂式の靴を改良した。特にラチェット状の弾力鰓裂の構造改良を主に行うことにより、ラチェット状の弾力鰓裂の損耗を抑え、使用寿命の延長を図った。
【考案を実施するための最良の形態】
【００１０】
図４〜図６をご参照ください。本考案の靴底には、歩行中に足が地面に最も直接に当たるエリアを換気エリアとし、且つ換気靴底１を収める埋込み部４１が設けられている。そして、埋込み部４１内には数個のはめ込み口４１１が設けられ、換気靴底１にはそれらのはめ込み口４１１に対応する突出部が設置され、はめ込み口４１１にはめ込んで固定させる。突出部はいずれも若干の貫通する通気穴２が行列的に設けられ、通気穴２はいずれも外側にラチェット状の弾力鰓裂３が設けられる。そして、通気穴２の内側に通気性、防水性のある薄膜が設けられる（図は省略）。
【００１１】
以上により、換気靴底１が歩行中に地面と接触した時、ラチェット状の弾力鰓裂３が圧力を受けて通気穴２を閉じさせ、そして、換気靴底が地面を離れた時に、圧力を受けていたラチェット状の弾力鰓裂３は弾力作用で回復して通気穴２を開放させる。このように、各ラチェット状の弾力鰓裂３を利用して通気穴２を持続に閉じさせたり、開放させたりする相互作用により、ポンプ効果が生じ、靴内部の湿気と外の新鮮空気と入れ替えることで、内部の乾燥を保つことができる。
【００１２】
図７をご参照ください。ラチェット状の弾力鰓裂３の内側は通気穴２の位置に向けさせ、圧力を受けた後に通気穴２と密着できる斜面３１に設計され、ラチェット状の弾力鰓裂３の外側は地面と垂直する直断面３２に設計されている。ラチェット状の弾力鰓裂３の先端が軽く、根が厚いというデザインでラチェット状の弾力鰓裂３の構造強度を上げ、そして、ラチェット状の弾力鰓裂３が地面と接触する面積を減らすことにより、ラチェット状の弾力鰓裂の損耗を有効に抑え、換気靴底の使用寿命の延長を図る。
【図面の簡単な説明】
【００１３】
【図１】本考案の出願人が以前に開発した換気靴底の平面概略図である。
【図２】本考案の出願人が以前に開発した換気靴底の断面概略図である。
【図３】本考案の出願人が以前に開発したラチェット状の弾力鰓裂の動作概略図である。
【図４】本考案の換気靴底と靴底全体の構造分解図である。
【図５】本考案の換気靴底の平面概略図である。
【図６】本考案のラチェット状の弾力鰓裂の断面概略図である。
【図７】本考案のラチェット状の弾力鰓裂の構造拡大概略図である。
【符号の説明】
【００１４】
１  換気靴底
２  通気穴
３  ラチェット状の弾力鰓裂
３１  斜面
３２  直断面
４  靴底全体
４１  埋込み部
４１１  はめ込み口
【図１】
0003134319.tif 000003
【図２】
0003134319.tif 000004
【図３】
0003134319.tif 000005
【図４】
0003134319.tif 000006
【図５】
0003134319.tif 000007
【図６】
0003134319.tif 000008
【図７】
0003134319.tif 000009